(57)【要約】【課題】緊急受付台などからのコールバックに対して、最適の端末機器で確実に応答できるようにしたルータを提供する。【解決手段】先に緊急受付台へ発信した電話機のポート番号を記憶しておき、緊急受付台からのコールバックをこのポートの端末機器に着信させる。また、緊急受付台からのコールバックに対して着信させるべきポート番号を緊急時着信ポート番号として記憶しておき、緊急受付台からコールバックがあったとき、この着信をそのコールバックの着信電話番号にかかわらず、緊急時着信ポート番号の端末機器に着信させる。【選択図】  図１
2004282601.tif 000002
【特許請求の範囲】
【請求項１】
端末機器を接続するためのアナログポートを複数備えたルータであって、
そのいずれかのアナログポートから所定の相手先への発呼要求が発生したときそのポート番号を記憶する記憶手段と、
この所定の相手先からコールバックがあったとき、前記記憶したポート番号のアナログポートを選択し、このアナログポートのみに対して呼び出しを行う制御手段と、
を備えたルータ。
【請求項２】
前記所定の相手先は、緊急受付台である請求項１に記載のルータ。
【請求項３】
端末機器を接続するためのアナログポートを複数備えたルータであって、
前記複数のアナログポートのうち、緊急受付台からのコールバックを着信させるべき緊急着信ポートのポート番号を記憶する記憶手段と、
緊急受付台へ発信したのち、この緊急受付台からコールバックがあったとき、そのときの着信電話番号またはポート指定情報にかかわらず、前記緊急着信ポートを選択し、この緊急着信ポートのみに対して呼び出しを行う制御手段と、
を備えたルータ。
【請求項４】
端末機器を接続するためのアナログポートを複数備えたルータであって、
各アナログポートに接続されている端末機器の種別を記憶する端末機器種別記憶手段と、
回線から着信があったとき、この着信に対して応答可能な種別の端末機器が接続されているアナログポートを前記端末機器種別記憶手段から選択し、この選択されたアナログポートのみに対して呼び出しを行う制御手段と、
を備えたルータ。
【請求項５】
前記着信は、緊急受付台からのコールバックである請求項４に記載のルータ。
【請求項６】
端末機器を接続するためのアナログポートを複数備え、各ポートごとに異なる電話番号が割り当てられているルータであって、
緊急受付台への発信時に通知すべき電話番号を緊急時通知番号として記憶する記憶手段と、
緊急受付台に発信するとき、前記緊急時通知番号を通知する制御手段と、
を備えたルータ。
【請求項７】
前記制御手段は、前記複数のアナログポートの優先順位を記憶し、着信時に選択されたアナログポートに呼び出し処理を行うとき、そのアナログポートに接続されている端末機器が呼出不能、または、呼び出しに対して一定時間応答がない場合に、次の優先順位のアナログポートを選択し、そのアナログポートに対して呼び出し処理を行う手段を含む請求項１〜６に記載のルータ。
【請求項８】
前記制御手段は、着信時に選択されたアナログポートに呼び出し処理を行うとき、そのアナログポートに接続されている端末機器が呼出不能、または、呼び出しに対して一定時間応答がない場合に、他の全てのアナログポートに対して呼び出し処理を行う手段を含む請求項１〜６に記載のルータ。
【発明の詳細な説明】
【０００１】
【発明が属する技術分野】
この発明は、複数のアナログポートを備えたルータに関する。
【０００２】
【従来の技術】
ＮＴＴ（商標）などの電話通信事業者が提供するＩＳＤＮ通信サービスにおいては、たとえば、１つの契約者回線で複数の電話番号を使用することができる契約形態であるｉ・ナンバー契約（たとえば、非特許文献１）や、１つのインタフェースグループで複数の電話番号を使用することができるダイヤルイン契約（たとえば、非特許文献２）などの契約形態がある。このような契約形態において、ＩＳＤＮルータを用いて複数の端末機器にそれぞれ別々の番号を付与する場合には、それぞれ端末機器が接続される複数のアナログポートにそれぞれ別々の電話番号を割り当てて、着信した電話番号に応じて所定のアナログポートのみを呼び出しすることができるようになっている。
【０００３】
上記ルータのアナログポートに接続される複数の端末機器としては、音声通話をするための電話機のほか、ファクシミリ装置、モデム等があるが、ファクシミリ装置は自動応答するように設定されており、モデムも設定によっては自動応答する場合がある。
【０００４】
【非特許文献１】
“ＮＴＴ東日本：ｉ・ナンバー”、［ｏｎｌｉｎｅ］、１９９９年、東日本電信電話会社、［平成１５年１月２７日検索］、インターネット＜ＵＲＬ：ｈｔｔｐ：／／ｗｗｗ．ｎｔｔ−ｅａｓｔ．ｃｏ．ｊｐ／ｓｈｏｐ／ａｎｎａｉ／ｉｎ／ｉｎ−ｋ．ｈｔｍｌ＞
【０００５】
【非特許文献２】
“ＮＴＴ東日本ＩＳＤＮ  ＯＦＦＩＣＩＡＬ  ＰＡＧＥ：付加サービス／直接着信／ＩＮＳダイヤルイン”、［ｏｎｌｉｎｅ］、１９９９年、東日本電信電話会社、［平成１５年１月２７日検索］、インターネット＜ＵＲＬ：ｈｔｔｐ：／／ｗｗｗ．ｎｔｔ−ｅａｓｔ．ｃｏ．ｊｐ／ＩＳＤＮ／６４／ｏｐｔｉｏｎａｌ／ｄｉａｌｉｎ／ｓｅｒｖｉｃｅ１．ｈｔｍｌ＞
【０００６】
【発明が解決しようとする課題】
上記契約形態においては、電話番号によって着信時に呼び出す端末機器（アナログポート）を、振り分けることができるが、こちらから電話を掛けた場合、どの端末機器から電話を掛けても契約者回線番号が相手先に表示されるよう設定または契約されているばあいがある。この場合、通話相手がこの着信にコールバックしても、ルータには契約者回線番号で着信するため、必ずしも先に発信した端末機器に着信しない場合がある。この場合、ルータに接続されている全ての端末機器に着信する場合もあり、またどの端末機器にも着信しない場合もあった。
【０００７】
ｉ・ナンバー契約のように、全ての端末機器に着信してしまう場合には、上記ファクシミリ装置やモデムなどのように着信に対して自動応答する機器が接続されていると、利用者が電話で応答する前にコールバックに対して自動応答してしまい、利用者が通話できないという問題点があった。
【０００８】
また、ダイヤルイン契約において、発信者番号として相手に通知する番号（契約者回線番号）と着信時に受け付ける番号（ダイヤルイン番号）とを分けて使用している場合には、通知番号に対するコールバックが自端末機器に着信せず別の端末機器に着信してしまうか、または通知番号のダイヤルイン番号を持った端末機器がない場合には全ての端末機器で着信を受け付けない状況が発生する可能性があり、この場合には誰も応答することができないという問題点があった。
【０００９】
上記の問題点は、特に緊急受付台（１１０：警察、１１９：消防救急、１１８：海難）からのコールバック時において大きな問題であった。
【００１０】
この発明は、緊急受付台などからのコールバックに対して、最適の端末機器で確実に応答できるようにしたルータを提供することを目的とする。
【００１１】
【課題を解決するための手段】この発明は、端末機器を接続するためのアナログポートを複数備えたルータであって、そのいずれかのアナログポートから所定の相手先への発呼要求が発生したときそのポート番号を記憶する記憶手段と、この所定の相手先からコールバックがあったとき、前記記憶したポート番号のアナログポートを選択し、このアナログポートのみに対して呼び出しを行う制御手段と、を備えたことを特徴とする。
この発明は、上記発明において、前記所定の相手先は、緊急受付台であることを特徴とする。
【００１２】
上記発明では、発信元のアナログポートのポート番号を記憶しておき、その相手先からコールバックがあった場合にはそのアナログポートのみ呼び出すようにした。これにより、複数のアナログポートに電話機のほか、ファクシミリ装置や自動応答モデムなどの自動応答する端末機器が接続されていても、この着信に対して自動応答する端末機器が先に応答してしまうことがなく、コールバックを確実に発信元の端末機器に着信・応答させることが可能になる。
特に、緊急受付台からのコールバックは緊急を要する用件であることが多いため、発信元に正しく着信しなければ重大な結果を招くことが考えられる。このため、他の通話については、コールバックの呼び出し先を制御せずに発信者（コールバックした者）の意思にまかせてもよいが、緊急受付台への発信およびそのコールバックについては、その発信元ポート番号を管理して、そのポートにコールバックを着信させるようにする。
【００１３】
この発明は、端末機器を接続するためのアナログポートを複数備えたルータであって、前記複数のアナログポートのうち、緊急受付台からのコールバックを着信させるべき緊急着信ポートのポート番号を記憶する記憶手段と、緊急受付台へ発信したのち、この緊急受付台からコールバックがあったとき、そのときの着信電話番号またはポート指定情報にかかわらず、前記緊急着信ポートを選択し、この緊急着信ポートのみに対して呼び出しを行う制御手段と、を備えたことを特徴とする。
【００１４】
上記のように、緊急受付台からのコールバックは緊急を要する用件であることが多いため、発信元に正しく着信しなければ重大な結果を招くことが考えられる。このため、この発明では、緊急受付台からのコールバックに対して確実に応答することができる端末機器が接続されたアナログポートを緊急着信ポートとして記憶し、緊急受付台からコールバックがあった場合は、専らこの緊急着信ポートのみを呼び出すようにした。すなわち、ダイヤルイン契約の場合、着信時に着信電話番号が指定され、ｉ・ナンバー契約の場合には着信時にポート番号が指定されるが、この着信電話番号およびポート指定情報にかかわらず緊急着信ポートのみを呼び出すようにした。これにより、どの端末機器から緊急受付台に発信され、緊急受付台にどのような番号が通知された場合でも、それに対するコールバックは確実に応答可能な緊急着信ポート（の端末機器）になされることになる。
【００１５】
この発明は、端末機器を接続するためのアナログポートを複数備えたルータであって、各アナログポートに接続されている端末機器の種別を記憶する端末機器種別記憶手段と、回線から着信があったとき、この着信に対して応答可能な種別の端末機器が接続されているアナログポートを前記端末機器種別記憶手段から選択し、この選択されたアナログポートに対して呼び出しを行う制御手段と、を備えたことを特徴とする。
この発明は、上記発明において、前記回線からの着信は、緊急受付台からの着信である請求項４に記載のルータ。
【００１６】
音声通話のための着信は、電話でなければ応答することができない。また、ファクシミリ送信のための着信は、ファクシミリ装置でなければ応答することができない。また、データ通信のための着信は、モデムでなければ応答することができない。このように、着信の内容によって応答可能な端末機器が異なる。そこで、この発明では、端末機器種別記憶手段に各アナログポートに接続されている端末機器の種別を記憶しておき、回線から着信があったとき、この着信がどのような通信のための着信であるかを判断し、それに応じた端末機器が接続されているアナログポートを選択する。これにより、たとえば着信電話番号が契約者回線番号であったとしても、全部のアナログポートを呼び出すことなく最適なアナログポートのみを呼び出すことができる。
【００１７】
なお、どのような通信のための着信であるかの判断は、たとえば発信者電話番号に基づいて判断することができる。すなわち、電話番号とその機器種別を対応づけてテーブルに記憶しておき、着信があったときその電話番号でテーブルを検索して発信した端末機器の種別を割り出し、この端末機器と同じ機器を選択して呼び出しをするようにすればよい。また、緊急受付台からの着信は、音声通話を目的とするものであり、その発信者番号は、１１０，１１９、１１８等明らかであるため、このような緊急受付台からの着信に対しては、端末機器種別として音声通話用の電話機が接続されているアナログポートを選択する。
【００１８】
この発明は、端末機器を接続するためのアナログポートを複数備え、各ポートごとに異なる電話番号が割り当てられているルータであって、緊急受付台への発信時に通知すべき電話番号を緊急時通知番号として記憶する記憶手段と、緊急受付台に発信するとき、前記緊急時通知番号を通知する制御手段と、を備えたことを特徴とする。
【００１９】
この発明では、緊急受付台への発信時に発信者番号通知機能で通知したい電話番号を緊急時通知番号として登録しておく。この緊急時通知番号は、緊急受付台からコールバックがあった場合でも、確実に応答可能な端末機器（アナログポート）の番号にする。これにより、どのアナログポートに接続されている端末機器（電話機）から緊急受付台へ発信した場合でも、緊急時通知番号が相手先（緊急受付台）へ表示され、万一コールバックがあった場合でも、確実に応答可能な端末機器（電話機）に着信させることができる。
【００２０】
この発明は、前記制御手段が、前記複数のアナログポートの優先順位を記憶し、着信時に選択されたアナログポートに呼び出し処理を行うとき、そのアナログポートに接続されている端末機器が呼出不能、または、呼び出しに対して一定時間応答がない場合に、次の優先順位のアナログポートを選択し、このアナログポートに対して呼び出し処理を行う手段を含むことを特徴とする。
【００２１】
この発明は、前記制御手段が、着信時に選択されたアナログポートに呼び出し処理を行うとき、そのアナログポートに接続されている端末機器が呼出不能、または、呼び出しに対して一定時間応答がない場合に、他の全てのアナログポートに対して呼び出し処理を行う手段を含むことを特徴とする。
【００２２】
この発明では、選択されたアナログポートに接続されている端末機器が応答不能な場合や、呼び出しても一定時間以上応答しなかった場合には、他のアナログポートに呼出処理を行うようにした。これにより、最優先の端末機器が応答しない場合でもいずれかの端末機器の応答を期待することができ、最善の応答が不可能な場合でも次善の応答を期待することができる。
【００２３】
【発明の実施形態】
図面を参照してこの発明の実施形態であるルータについて説明する。このルータは、１１０番（警察）、１１９番（救急・消防）、１１８番（海難）などの緊急受付台からの着信を適切な端末機器に応答させるよう着信先のアナログポートを選択する機能を備えている。
【００２４】
図１は同ルータの概略ブロック図である。ルータ１全体の動作を制御するコントローラ１０は、マイコンで構成されており、着信、発信の各種データを記憶するためのメモリ１０ａを備えている。このコントローラには、アナログポート制御部１１および通信制御部１５が接続されている。アナログポート制御部１１には、複数のアナログポート１２、１３、１４が接続されており、これらのアナログポート１２、１３、１４にはそれぞれ別々の端末機器が接続される。同図では、アナログポート１２（ポート番号１）には電話機２が接続され、アナログポート１３（ポート番号２）にはファクシミリ装置３が接続され、アナログポート１４（ポート番号３）にはモデム４が接続されている。なお、通常のＩＳＤＮ契約では各アナログポートは、同じ電話番号が割り当てられるが、ダイヤルイン契約やｉ・ナンバー（商標）契約にすることにより、各アナログポートにそれぞれ異なる電話番号を割り当てることができる。この発明は、そのいずれの場合にも適用することができる。
【００２５】
通信制御部１５は、ＩＳＤＮ回線網５との回線の接続・切断を制御するとともに、アナログポート制御部１１から入力されたデジタル化された信号をＩＳＤＮ回線網５に送出するとともに回線から着信した信号をアナログポート制御部１１に入力する。また、ＩＳＤＮ回線（Ｄチャンネル）から入力された制御メッセージをコントローラ１０に入力するとともに、コントローラ１０から入力された制御メッセージをＩＳＤＮ回線網５に送出する。
【００２６】
アナログポート制御部１１は、Ａ／ＤコンバータおよびＤ／Ａコンバータを内蔵しておりアナログポート１２、１３、１４から入力されたアナログ信号をデジタルデータに変換して通信制御部１５に入力するとともに、コントローラ１０からの指示に対応していずれかのアナログポートに呼出信号（Ｒｉｎｇｅｒ）を出力するとともに、そのアナログポートが応答すると、通信制御部１５から入力されたデジタル信号をアナログ信号（オーディオ信号）に変換してそのアナログポートに入力する。
【００２７】
また、いずれかのアナログポートから発呼要求が発生した場合、アナログポート制御部１１は、発呼要求が発生した旨およびそのポート番号をコントローラ１０に伝達する。コントローラ１０は、この発呼要求に応じて通信制御部１５に制御メッセージを出力してＩＳＤＮ回線網５に送出する。
【００２８】
以下、上記のハードウェア構成のルータが実行する緊急受付台との通話制御動作について説明する。
【００２９】
＜第１実施形態＞
図２、図３は、この発明の第１の実施形態を示すフローチャートおよび通信シーケンスを示す図である。この第１の実施形態は、ルータ１に接続されている１つの端末機器（電話機２）から緊急受付台へ発信があったとき、ルータ１がその発信ポート番号を記憶しておき、その緊急受付台からコールバック（再呼出）があったとき、ルータ１が記憶している発信ポート番号の端末機器（電話機２）のみを呼び出すことにより、他のポートに接続されている自動応答端末機器（ファクシミリ３、モデム４）が勝手に応答してしまうことをなくしている。
【００３０】
まず、図２（Ａ）のフローチャートにおいて、アナログポート１２（ポート番号１）に接続されている電話機２から緊急受付台（たとえば１１０番）への発呼要求が発生した場合（ｓ１）、この発呼要求が発生した発信ポート番号「１」をコントローラ１０のメモリ１０ａに記憶したのち（ｓ２）、緊急受付台への接続要求等の発信処理をＩＳＤＮ回線網５に対して行う（ｓ３）。このとき、コントローラ１０は、前記発信ポート番号とともにどの緊急受付台へ発信したか（この例では１１０番）を記憶している。
【００３１】
発信処理は、図３に示すように以下の手順で行われる。通信制御部１５が、ＩＳＤＮ回線網５に対して呼設定メッセージ（ＳＥＴＵＰ）を送信する。この呼設定メッセージとともに、接続相手先電話番号（１１０）および発信者電話番号（発信者番号通知の設定・契約をしている場合）がＩＳＤＮ回線網５に送信される。ＩＳＤＮ回線網５は、この呼設定メッセージの着番号情報要素に基づいて接続相手先である緊急受付台６を呼び出す。
【００３２】
このとき、発信者の電話番号が緊急受付台６に通知される。この緊急受付台６への発信者電話番号の通知は、基本的には発信者電話番号として発信者が通知した番号が表示されるが、この発信者が発信者番号通知の設定または契約をしていなかった場合には、ＩＳＤＮ回線網５の機能により緊急受付台６にはルータ１とＩＳＤＮ回線網５とを接続する契約者回線電話番号（たとえば代表番号）が通知される。
【００３３】
緊急受付台６においてはオペレータが、この呼出に対して応答して電話機２の利用者と通話をする。そして、どちらか（図３では電話機２の利用者）がオンフックする（受話器を電話機にもどす）と、このオンフック信号がアナログポート１２−アナログポート制御部１１を介してコントローラ１０に伝達される。コントローラ１０は、このオンフック信号に基づいて切断メッセージ（ＤＩＳＣ）を生成し、通信制御部１５を介してＩＳＤＮ回線網５に出力する。ＩＳＤＮ回線網５はこの切断メッセージに応じてルータ１および緊急受付台６の回線を切断する。
【００３４】
上記の処理で一旦回線が切断されるが、こののち同じ緊急受付台６からルータ１に対してコールバック（再呼出）があった場合、ルータ１は図２（Ｂ）の処理を実行する。緊急受付台６からコールバックがあると（ｓ４）、直前にこの緊急受付台６に発信した端末機器のポート番号「１」をメモリ１０ａから読み出す（ｓ５）。そして、このアナログポート１２に対して、外線が着信した旨の呼び出しを行う（ｓ６）。この呼び出しに対して端末機器（電話機２）が応答するまで待機し（ｓ７）、応答があればＩＳＤＮ回線網５を通信制御部１５−アナログポート制御部１１を介してこのポートに接続して通話を可能にする（ｓ８）。
【００３５】
また図３において、緊急受付台６からＩＳＤＮ回線網５を介してＳＥＴＵＰメッセージを受信すると（コールバックがあると）、ＩＳＤＮ回線網５に対して呼設定受付メッセージ（Ｃａｌｌ  Ｐｒｏｃｅｅｄｉｎｇ）を返信するとともに、直前にこの緊急受付台６へ発信した端末機器のポート番号を検索して、そのアナログポート１２に対して呼び出しを行うようにアナログポート制御部１１に指示する。さらに緊急受付台６（１１０番）から着信があった旨を表示器（不図示）に表示する。アナログポート１２に接続されている電話機２の呼び出しを開始したらＩＳＤＮ回線網５に対して呼出メッセージ（Ａｌｅｒｔｉｎｇ）を返信する。
【００３６】
アナログポート１２に接続されている電話機２がこの呼び出しに応答すると（利用者によってオフフックされると）、オフフック信号がアナログポート制御部１１を介してコントローラ１０に伝達される。コントローラ１０は、このオフフック信号に対応して応答メッセージ（ＣＯＮＮ）を出力する。この応答メッセージに応じてＩＳＤＮ回線網５が緊急応答台６と回線を接続して通話可能状態に設定する。そしてＩＳＤＮ回線網５から応答確認メッセージ（ＣＯＮＮ  ＡＣＫ）が送られてきたとき通話可能となる。
【００３７】
このようにこの実施形態では、複数のアナログポート１２、１３、１４に接続されている端末機器のうちいずれかから緊急受付台６に対して発呼要求が発生したとき、その発呼要求のあったアナログポートのポート番号を発信ポート番号として記憶しておき、その後、同じ緊急受付台６からコールバックがあったとき、この記憶しているポート番号の端末機器（電話機２）のみを呼び出すようにした。これにより、緊急受付台からのコールバックに対して、最初に電話を掛けた端末機器（電話を掛けた本人）が応答することができ、他の電話機で他人が応答してしまうことやファクシミリなどの自動応答装置が先に応答してしまうことがなくなる。
【００３８】
なお、この第１の実施形態は、緊急受付台からのコールバックについて説明したが、通常の通話（通信）に対しても適用することができる。すなわち、ある相手先に電話を掛けた場合において、その相手先から契約者回線番号（代表番号）でコールバックがあった場合に、先に電話を掛けた端末機器を呼び出すようにする。これにより、コールバックを確実に元の通話者に到達させることが可能になる。また、この実施形態は音声通話だけでなくファクシミリなどの通信にも適用が可能である。
【００３９】
＜第２実施形態＞
次に、図４、図５を参照してこの発明の第２の実施形態について説明する。この第２の実施形態では、ルータ１に予め緊急受付台からのコールバックを着信させるべきポート番号を登録しておき、いずれかの端末機器（電話機２）から緊急受付台へ発信があったのち、その緊急受付台からコールバック（再呼出）があったとき、ルータ１に登録されているポート番号の端末機器のみを呼び出すことにより、最も好ましい端末機器にコールバックを着信させることができるようにしている。
【００４０】
まず、図４のフローチャートにおいて、同図（Ａ）は、緊急着信ポートの登録処理を示すフローチャートである。利用者の操作によって登録モードが設定されると（ｓ１１）、この処理が実行される。登録モード設定ののち、緊急着信ポートとして登録すべきポート番号が利用者によって入力される（ｓ１２）。この入力が行われるとこのポート番号を緊急着信ポート番号としてコントローラ１０のメモリ１０ａに登録（記憶）する（ｓ１３）。緊急着信ポートは１つに限定されないため、複数のポートが登録される場合にはｓ１２、ｓ１３の動作が繰り返し実行される。登録が終了して終了操作が行われると（ｓ１４）、登録モードを解除し（ｓ１５）、この処理動作を終了して通常の動作に戻る。
【００４１】
同図（Ｂ）は、緊急受付台へ発信したのち、その緊急受付台からコールバックを受けたときの動作を示すフローチャートである。
ルータ１に接続されているいずれかの端末機器（図１の場合にはアナログポート１２に接続されている電話機２）から緊急受付台（たとえば１１０番）への発呼要求が発生すると（ｓ２０）、コントローラ１０は、接続要求等の発信処理をＩＳＤＮ回線網５に対して行う（ｓ２１）。このときコントローラ１０が、発信先の緊急受付台の番号（この例では１１０番）を記憶しておくようにしてもよい。
【００４２】
この発信処理により、電話機２は、緊急受付台６と接続され、通話が可能になるが、このとき緊急受付台６には発信者の電話番号が通知される。この発信者電話番号の通知は、第１実施形態と同様に、基本的には発信者電話番号として発信者が通知した番号が表示されるが、この発信者が発信者番号通知の設定または契約をしていなかった場合には、ＩＳＤＮ回線網５の機能によりルータ１の契約者回線電話番号（たとえば代表番号）が通知される。
【００４３】
電話機２の利用者と緊急受付台６のオペレータとの通話が終了すると回線が切断されるが、こののち同じ緊急受付台６からルータ１に対してコールバック（再呼出）があった場合（ｓ２２）、メモリ１０ａから緊急着信ポート番号を読み出し（ｓ２３）、このアナログポートに対して、外線が着信した旨の呼び出しを行う（ｓ２４）。この呼び出しに対して端末機器が応答するまで待機し（ｓ２５）、応答がああればＩＳＤＮ回線網５を通信制御部１５−アナログポート制御部１１を介してこのアナログポートに接続して通話を可能にする（ｓ２６）。
【００４４】
このコールバック時の通信シーケンスを図５に基づいて説明する。緊急受付台６からＩＳＤＮ回線網５を介してＳＥＴＵＰメッセージを受信すると（コールバックがあると）、ＩＳＤＮ回線網５に対して呼設定受付メッセージ（Ｃａｌｌ  Ｐｒｏｃｅｅｄｉｎｇ）を返信し、緊急着信ポート番号をメモリ１０ａから検索して、その緊急着信ポート番号で識別されるアナログポートに対して呼び出しを行うようにアナログポート制御部１１に指示する。さらに緊急受付台６（１１０番）から着信があった旨を表示器（不図示）に表示する。アナログポート１２に接続されている電話機２の呼び出しを開始したらＩＳＤＮ回線網５に対して呼出メッセージ（Ａｌｅｒｔｉｎｇ）を返信する。
【００４５】
アナログポート１２に接続されている電話機２がこの呼び出しに応答すると（利用者によってオフフックされると）、オフフック信号がアナログポート制御部１１を介してコントローラ１０に伝達される。コントローラ１０は、このオフフック信号に対応して応答メッセージ（ＣＯＮＮ）を出力する。この応答メッセージに応じてＩＳＤＮ回線網５が緊急受付台６と回線を接続して通話可能状態に設定する。そしてＩＳＤＮ回線網５から応答確認メッセージ（ＣＯＮＮ  ＡＣＫ）が送られてきたとき通話可能となる。
【００４６】
このようにこの実施形態では、緊急受付台６からコールバックがあったとき、緊急着信ポート番号に登録されているポート番号の端末機器のみを呼び出すようにした。これにより、緊急受付台からのコールバックに対して、最適な端末機器が応答することができ、他の電話機で最適でない者が応答してしまうことやファクシミリなどの自動応答装置が先に応答してしまうことがなくなる。
【００４７】
＜第３実施形態＞
次に、図６、図７を参照してこの発明の第３の実施形態について説明する。この第３の実施形態では、ルータ１の各アナログポート１２、１３、１４にどのような種別の端末機器が接続されているかを予め登録しておき、いずれかの端末機器（電話機２）から緊急受付台へ電話が掛けられたのち、その緊急受付台からコールバック（再呼出）があったとき、各アナログポートに接続されている様々な種別の端末機器のうち適当な種別の端末機器を選択して、その端末機器のみを呼び出すことにより、好ましい端末機器を選択してコールバックを着信させることができるようにしている。一般的には緊急受付台からのコールバックは音声通話のための着信であるため、電話機を選択して呼び出すようにする。
【００４８】
まず、図６のフローチャートにおいて、同図（Ａ）は、各アナログポート１２、１３、１４に接続されている端末機器の種別を登録する端末機器種別登録処理を示すフローチャートである。利用者の操作によって登録モードが設定されると（ｓ３１）、この処理が実行される。登録モード設定ののち、各ポートに接続されている端末機器の種別が利用者によって入力される（ｓ３２）。端末機器の種別は、たとえば、電話機：０１、ファクシミリ：０２、モデム：０３等コード化して入力するようにすればよい。この入力が行われるとポート番号と端末機器種別（コード）をコントローラ１０のメモリ１０ａ（端末機器種別テーブル）に登録（記憶）する（ｓ３３）。ｓ３２、ｓ３３の動作を各ポートごとに繰り返し行い、端末機器が接続されているポートに対する端末機器種別の登録が終了して終了操作が行われると（ｓ３４）、登録モードを解除し（ｓ３５）、この処理動作を終了して通常の動作に戻る。
【００４９】
同図（Ｂ）は、緊急受付台へ電話を掛けて、その緊急受付台からコールバックを受けたときの動作を示すフローチャートである。
ルータ１に接続されているいずれかの端末機器（図１の場合にはアナログポート１２に接続されている電話機２）から緊急受付台（たとえば１１０番）への発呼要求が発生すると（ｓ４０）、コントローラ１０は、接続要求等の発信処理をＩＳＤＮ回線網５に対して行う（ｓ４１）。このときコントローラ１０が、発信先の緊急受付台の番号（この例では１１０番）を記憶しておくようにしてもよい。
【００５０】
この発信処理により、電話機２は、緊急受付台６と接続され、通話が可能になるが、このとき緊急受付台６には発信者の電話番号が通知される。この発信者電話番号の通知は、第１実施形態と同様に、基本的には発信者電話番号として発信者が通知した番号が表示されるが、この発信者が発信者番号通知の設定または契約をしていなかった場合には、ＩＳＤＮ回線網５の機能によりルータ１の契約者回線電話番号（たとえば代表番号）が通知される。
【００５１】
電話機２の利用者と緊急受付台６のオペレータとの通話が終了すると回線が切断されるが、こののち同じ緊急受付台６からルータ１に対してコールバック（再呼出）があった場合（ｓ４２）、前記端末機器種別テーブルから所定の端末機器（この場合は電話機）が接続されているポート番号を読み出し（ｓ４３）、このアナログポートに対して、外線が着信した旨の呼び出しを行う（ｓ４４）。この呼び出しに対して端末機器が応答するまで待機し（ｓ４５）、応答があればＩＳＤＮ回線網５を通信制御部１５−アナログポート制御部１１を介してこのアナログポートに接続して通話を可能にする（ｓ４６）。
【００５２】
このコールバック時の通信シーケンスを図７に基づいて説明する。緊急受付台６からＩＳＤＮ回線網５を介してＳＥＴＵＰメッセージを受信すると（コールバックがあると）、ＩＳＤＮ回線網５に対して呼設定受付メッセージ（Ｃａｌｌ  Ｐｒｏｃｅｅｄｉｎｇ）を返信するとともに、端末機器種別テーブルを参照して電話機が接続されているアナログポート（１２）を検索する。そして、そのアナログポートに対して呼び出しを行うようにアナログポート制御部１１に指示する。さらに緊急受付台６（１１０番）から着信があった旨を表示器（不図示）に表示する。アナログポート１２に接続されている電話機２の呼び出しを開始したらＩＳＤＮ回線網５に対して呼出メッセージ（Ａｌｅｒｔｉｎｇ）を返信する。
【００５３】
アナログポート１２に接続されている電話機２がこの呼び出しに応答すると（利用者によってオフフックされると）、オフフック信号がアナログポート制御部１１を介してコントローラ１０に伝達される。コントローラ１０は、このオフフック信号に対応して応答メッセージ（ＣＯＮＮ）を出力する。この応答メッセージに応じてＩＳＤＮ回線網５が緊急受付台６と回線を接続して通話可能状態に設定する。そしてＩＳＤＮ回線網５から応答確認メッセージ（ＣＯＮＮ  ＡＣＫ）が送られてきたとき通話可能となる。
【００５４】
このようにこの実施形態では、緊急受付台６からコールバックがあったとき、メモリ１０ａに設定されている端末機器種別テーブルから所定の端末機器（電話機）が接続されているアナログポートを検索し、そのアナログポートのみに対して呼び出しを行うようにした。これにより、緊急受付台からのコールバックに対して、最適な（応答が可能な）端末機器のみを呼び出すことができ、他の種別の端末機器（たとえばファクシミリなど）が先に応答してしまい通話が不可能になることがなくなる。
【００５５】
なお、端末機器種別テーブルに電話機が複数登録されている場合、すなわち複数のアナログポートに電話機が接続されている場合には、その全てを呼び出すようにしてもよく、そのなかの一部（１台）の電話機のみに対して呼び出しを行うようにしてもよい。
【００５６】
なお、この第３の実施形態は、緊急受付台からのコールバックについて説明したが、コールバックに限定されず、緊急受付台からの着信全般に適用することができる。
また、一般の相手先からの着信についても、この発明を適用することが可能である。すなわち、ルータ１に各相手先の電話番号と端末機器種別を予め登録しておき、着信があった場合に、その相手先の電話番号からその端末機器種別を割り出して、同種の端末機器を呼び出すように上記処理で呼び出しを行うアナログポートを選択することにより、常に同じ端末機器同士で通話（通信）することが可能になる。
【００５７】
＜第４実施形態＞
図８、図９を参照してこの発明の第４の実施形態について説明する。この第４の実施形態は特に各アナログポートにそれぞれ異なる電話番号が設定されている場合に適用されるものであり、この実施形態のルータ１では、緊急受付台６に電話を掛けた場合には、どのポートの端末機器から電話を掛けた場合でも（そのポートに割り当てられている電話番号にかかわらず）、所定の緊急時通知番号を発信元の電話番号として通知するようになっている。
【００５８】
このように緊急受付台に対して特定の緊急時通知番号を発信元の電話番号として通知するようにすることにより、緊急受付台がコールバックするときは、この緊急時通知番号に対してコールバックすることになり、ルータ１が着信時に、特別の振り分けをしなくても、着信電話番号に対応するアナログポートに呼び出しをすることで、適切な端末機器に応答させることができる。
【００５９】
まず、図８（Ａ）のフローチャートを参照して緊急時通知番号の登録処理について説明する。利用者の操作によって登録モードが設定されると（ｓ５１）、この処理が実行される。登録モード設定ののち、緊急時通知番号として登録すべき電話番号が利用者によって入力される（ｓ５２）。この電話番号は複数のアナログポートに割り当てられている電話番号のうちいずれかである必要があり、通常は電話機２が接続されているアナログポート１２に割り当てられている電話番号が選択される。この入力が行われるとこの電話番号を緊急時通知番号としてコントローラ１０のメモリ１０ａに登録（記憶）する（ｓ５３）。以上の操作で登録が終了するため、登録モードを解除し（ｓ５４）、この処理動作を終了して通常の動作に戻る。
【００６０】
同図（Ｂ）は、上記設定のルータの発信処理動作、および、緊急受付台からコールバックを受けたときの動作を示すフローチャートである。
ルータ１に接続されているいずれかの端末機器から発呼要求が発生すると（ｓ６０）、その発呼要求が緊急受付台宛のものであるかを判断する（ｓ６１）。発呼要求が緊急受付台宛でなく通常の相手先宛のものであれば設定（契約）に応じてその端末機器（アナログポート）に割り当てられている発信者番号を通知するよう（または通知しないよう）に呼設定メッセージを構成してＩＳＤＮ回線網５に対して発信処理を行う（ｓ６２）。この場合その後の処理は通常の通話処理と同様である。
【００６１】
一方、発呼要求が緊急受付台（たとえば１１０番）宛のものであった場合には、メモリ１０ａから緊急時通知番号を読み出し（ｓ６３）、この緊急通知番号を付加した接続要求メッセージを構成してＩＳＤＮ回線網５に対して発信処理を行う（ｓ６４）。
この発信処理により、電話機２は、緊急受付台６と接続され、通話が可能になるが、このとき緊急受付台６には発信者電話番号として緊急時通知番号が通知される。
【００６２】
電話機２の利用者と緊急受付台６のオペレータとの通話が終了すると回線が切断されるが、こののち同じ緊急受付台６からルータ１に対してコールバックがあった場合（ｓ６５）、特別の振り分け処理を行わず、コールバックの宛先電話番号のアナログポートに対して、外線が着信した旨の呼び出しを行う（ｓ６６）。この呼び出しに対して端末機器が応答するまで待機し（ｓ６７）、応答があればＩＳＤＮ回線網５を通信制御部１５−アナログポート制御部１１を介してこのアナログポートに接続して通話を可能にする（ｓ６８）。
【００６３】
上記の緊急受付台への発信およびコールバック時の通信シーケンスを図９に基づいて説明する。端末機器（電話機２）がオフフックされ緊急受付台の電話番号（１１０）がダイヤリングされると、このオフフック信号および１１０のダイヤリングをアナログポート制御部１１が受信してデジタルデータに変換し、発呼要求としてコントローラ１０に伝達する。
【００６４】
コントローラ１０は、入力された電話番号に基づいてこの発呼要求が緊急受付台宛のものであることを認識し、これに応じて緊急時通知番号を読み出して、この緊急時通知番号を通知する呼設定メッセージを作成する。そして、通信制御部１５が、この呼設定メッセージ（ＳＥＴＵＰ）をＩＳＤＮ回線網５に対して送信する。ＩＳＤＮ回線網５は、この呼設定メッセージの着番号情報要素に基づいて接続相手先である緊急受付台６を呼び出す。このとき、発信者の電話番号として緊急時通知番号が緊急受付台６に通知される。
【００６５】
緊急受付台６においてはオペレータが、この呼出に対して応答して電話機２の利用者と通話をする。そして、どちらか（図９では電話機２の利用者）がオンフックする（受話器を電話機にもどす）と、このオンフック信号がアナログポート１２−アナログポート制御部１１を介してコントローラ１０に伝達される。コントローラ１０は、このオンフック信号に基づいて切断メッセージ（ＤＩＳＣ）を生成し、通信制御部１５を介してＩＳＤＮ回線網５に出力する。ＩＳＤＮ回線網５はこの切断メッセージに応じてルータ１および緊急受付台６の回線を切断する。
【００６６】
この後、緊急受付台６がコールバックした場合、緊急受付台６からＩＳＤＮ回線網５を介して、ルータ１が呼設定メッセージ（ＳＥＴＵＰ）を受信する。ルータ１は、ＩＳＤＮ回線網５に対して呼設定受付メッセージ（Ｃａｌｌ  Ｐｒｏｃｅｅｄｉｎｇ）を返信する。この呼設定メッセージの宛先電話番号が割り当てられているアナログポート１２に対して呼び出しを行うようにアナログポート制御部１１に指示する。さらに緊急受付台６（１１０番）から着信があった旨を表示器（不図示）に表示する。アナログポート１２に接続されている電話機２の呼び出しを開始したらＩＳＤＮ回線網５に対して呼出メッセージ（Ａｌｅｒｔｉｎｇ）を返信する。
【００６７】
アナログポート１２に接続されている電話機２がこの呼び出しに応答すると（利用者によってオフフックされると）、オフフック信号がアナログポート制御部１１を介してコントローラ１０に伝達される。コントローラ１０は、このオフフック信号に対応して応答メッセージ（ＣＯＮＮ）を出力する。この応答メッセージに応じてＩＳＤＮ回線網５が緊急受付台６と回線を接続して通話可能状態に設定する。そしてＩＳＤＮ回線網５から応答確認メッセージ（ＣＯＮＮ  ＡＣＫ）が送られてきたとき通話可能となる。
【００６８】
このようにこの実施形態では、緊急受付台６に発信する場合には、緊急時通知番号を相手先である緊急受付台６に通知するようにしているため、緊急受付台６がコールバックした場合でも、応答させたい端末機器の電話番号宛にコールバックが着信するため、着信時にルータ１が特別の振り分け処理をしなくても、最適な端末機器に着信・応答させることができる。
【００６９】
＜変形の実施形態＞
上記１〜４の実施形態では、緊急受付台６からコールバックがあったとき、所定の端末機器を選択して呼び出し、その応答があるまで待機するようにしている。この変形の実施形態では、その選択された端末機器が呼び出しに対して一定時間以上応答しないとき、または、その選択された端末機器が呼び出しをできる状態でない（オフフック中、話中）ときには、他の端末機器に呼び出しを行うようにして、いずれかの端末機器が緊急受付台６からのコールバックに応答できるようにしている。
【００７０】
＜変形１＞
図１０、図１１を参照して第１の変形実施形態について説明する。この実施形態では、選択された端末機器が応答しない場合や呼び出しできない場合には全ての端末機器を呼び出すようにしている。
【００７１】
図１０はその呼び出し時の動作を示すフローチャートである。このフローチャートは実施形態１〜４のコールバック時の呼出動作の変形であり、図２のｓ６，ｓ７、図４のｓ２４，ｓ２５、図６のｓ４４，ｓ４５、および、図８のｓ６６，ｓ６７に代えて実行されるものである。
まず、基本動作（図２、図４、図６、図８）で選択された（最優先の）アナログポートに対して呼出処理を行う（ｓ７１）。このアナログポートの端末機器がオフフックされているなど呼出不能の状態であれば（ｓ７２）、直接ｓ７５に進んで全ての端末機器に対して呼出処理を行い（ｓ７５）、いずれかの端末機器が応答するまで待機する（ｓ７６）。
【００７２】
選択された端末機器が呼出可能な状態であれば呼び出しを行い、所定時間以内に応答があれば（ｓ７３）、回線を接続して通話可能な状態にする（図２のｓ８、図４のｓ２６、図６のｓ４６、図８のｓ６８）。一方、呼び出しを所定時間継続してもその端末機器から応答がない場合には（ｓ７４）、ｓ７５に進んで全ての端末機器に対して呼出処理を行い（ｓ７５）、いずれかの端末機器が応答するまで待機する（ｓ７６）。
【００７３】
図１１は上記コールバック時の通信シーケンスを示す図である。同図（Ａ）は、呼び出しをしている端末機器が一定時間内に応答しない場合のシーケンスを示している。ルータ１が緊急受付台６からコールバックの呼設定メッセージ（ＳＥＴＵＰ）を受信すると、ＩＳＤＮ回線網５に対して呼設定受付メッセージ（Ｃａｌｌ  Ｐｒｏｃｅｅｄｉｎｇ）を返信し、着信条件に基づいて選択されたアナログポートに対して呼び出しを行う。このとき緊急受付台６（１１０番）から着信があった旨を表示器（不図示）に表示する。アナログポート１２に接続されている電話機２の呼び出しを開始したらＩＳＤＮ回線網５に対して呼出メッセージ（Ａｌｅｒｔｉｎｇ）を返信する。
【００７４】
選択されたアナログポートに接続されている端末機器が一定時間内にこの呼び出しに応答しない場合には、他の全ての端末機器にも呼び出しを行う。このうちいずれかの端末機器が応答すると、オフフック信号がアナログポート制御部１１を介してコントローラ１０に伝達される。コントローラ１０は、このオフフック信号に対応して応答メッセージ（ＣＯＮＮ）を出力する。この応答メッセージに応じてＩＳＤＮ回線網５が緊急受付台６と回線を接続して通話可能状態に設定する。そしてＩＳＤＮ回線網５から応答確認メッセージ（ＣＯＮＮ  ＡＣＫ）が送られてきたとき通話可能となる。
【００７５】
同図（Ｂ）は、呼び出しをしようとする端末機器がオフフック中などで呼出不能の場合のシーケンスを示している。コールバック前にポート番号１に接続されている端末機器（電話機２）がオフフックされているとき、ルータ１で緊急受付台６からコールバックの呼設定メッセージ（ＳＥＴＵＰ）を受信すると、呼び出しをしようとするアナログポートの状態から呼出不可であることを判断し、他の全ての端末機器にも呼び出しを行う。同時にＩＳＤＮ回線網５に対して呼設定受付メッセージと呼出メッセージ（Ｃａｌｌ  Ｐｒｏｃｅｅｄｉｎｇ／Ａｌｅｒｔｉｎｇ）を返信する。このとき緊急受付台６（１１０番）から着信があった旨を表示器（不図示）に表示する。呼び出しをした端末機器のうちいずれかが応答すると、オフフック信号がアナログポート制御部１１を介してコントローラ１０に伝達される。コントローラ１０は、このオフフック信号に対応して応答メッセージ（ＣＯＮＮ）を出力する。この応答メッセージに応じてＩＳＤＮ回線網５が緊急受付台６と回線を接続して通話可能状態に設定する。そしてＩＳＤＮ回線網５から応答確認メッセージ（ＣＯＮＮ  ＡＣＫ）が送られてきたとき通話可能となる。
【００７６】
＜変形２＞
図１２、図１３を参照して第２の変形実施形態について説明する。この実施形態では、選択された端末機器が応答しない場合や呼び出しできない場合には優先順位に基づいて他の端末機器を順次呼び出すようにしている。
【００７７】
図１２はその呼び出し時の動作を示すフローチャートである。このフローチャートは、図１０と同様に実施形態１〜４のコールバック時の呼出動作の変形であり、図２のｓ６，ｓ７、図４のｓ２４，ｓ２５、図６のｓ４４，ｓ４５、および、図８のｓ６６，ｓ６７に代えて実行されるものである。
まず、基本動作（図２、図４、図６、図８）で選択された（最優先の）アナログポートに対して呼出処理を行う（ｓ８１）。このアナログポートの端末機器がオフフックされているなど呼出不能の状態であれば（ｓ８２）、呼び出しを行わずに次の優先順位の端末機器を選択して（ｓ８５）、その端末機器に対して呼出処理を行う（ｓ８２）。
なお、複数の端末機器の優先順位は、予めメモり１０ａに設定されているものとする。
【００７８】
選択された端末機器が呼出可能な状態であれば呼び出しを行い、所定時間以内に応答があれば（ｓ８３）、回線を接続して通話可能な状態にする（図２のｓ８、図４のｓ２６、図６のｓ４６、図８のｓ６８）。一方、呼び出しを所定時間継続してもその端末機器から応答がない場合には（ｓ８４）、ｓ８５に進んで次の優先順位の端末機器を選択し、その端末機器に対して呼出処理を行う（ｓ８２）。
ｓ８４→ｓ８５の動作において、次の優先順位の端末機器に呼び出しを切り換える場合に、現在の端末機器に対する呼び出しを中止してもよく、この呼び出しはそのまま継続しておき、さらに次の優先順位の端末機器に対する呼び出しを行うようにしてもよい。
【００７９】
図１３は上記コールバック時の通信シーケンスを示す図である。同図（Ａ）は、呼び出しをしている端末機器が一定時間内に応答しない場合のシーケンスを示している。ルータ１で緊急受付台６からコールバックの呼設定メッセージ（ＳＥＴＵＰ）を受信すると、ＩＳＤＮ回線網５に対して呼設定受付メッセージ（Ｃａｌｌ  Ｐｒｏｃｅｅｄｉｎｇ）を返信し、着信条件に基づいて選択されたアナログポートに対して呼び出しを行う。このとき緊急受付台６（１１０番）から着信があった旨を表示器（不図示）に表示する。アナログポートで呼び出しを開始したら、ＩＳＤＮ回線網５に対して呼出メッセージ（Ａｌｅｒｔｉｎｇ）を返信する。
【００８０】
選択されたアナログポートに接続されている端末機器が一定時間内にこの呼び出しに応答しない場合には、優先順位に従って次の端末機器にも呼び出しを行う（この図では先の端末機器の呼び出しも中止せずに継続している）。上記次の端末機器も応答しない場合にはさらに次の優先順位の端末機器にも呼び出しを行う。呼び出している端末機器のうちいずれかの端末機器が応答すると、オフフック信号がアナログポート制御部１１を介してコントローラ１０に伝達される。コントローラ１０は、このオフフック信号に対応して応答メッセージ（ＣＯＮＮ）を出力する。この応答メッセージに応じてＩＳＤＮ回線網５が緊急受付台６と回線を接続して通話可能状態に設定する。そしてＩＳＤＮ回線網５から応答確認メッセージ（ＣＯＮＮ  ＡＣＫ）が送られてきたとき通話可能となる。
【００８１】
同図（Ｂ）は、呼び出しをしようとする端末機器がオフフック中などで呼出不可の場合のシーケンスを示している。コールバック前にポート番号１に接続されている端末機器（電話機２）がオフフックされているとき、ルータ１で緊急受付台６からコールバックの呼設定メッセージ（ＳＥＴＵＰ）を受信すると、呼び出しをしようとするアナログポートの状態から呼出不能であることを判断し、優先順位に従って次の端末機器にも呼び出しを行う。同時にＩＳＤＮ回線網５に対して呼出中メッセージ（Ｃａｌｌ  Ｐｒｏｃｅｅｄｉｎｇ）と呼出メッセージ（Ａｌｅｒｔｉｎｇ）を返信する。このとき緊急受付台６（１１０番）から着信があった旨を表示器（不図示）に表示する。上記次の端末機器が一定時間応答しない場合にはさらに次の優先順位の端末機器にも呼び出しを行う。呼び出している端末機器のうちいずれかが応答すると、オフフック信号がアナログポート制御部１１を介してコントローラ１０に伝達される。コントローラ１０は、このオフフック信号に対応して応答メッセージ（ＣＯＮＮ）を出力する。この応答メッセージに応じてＩＳＤＮ回線網５が緊急受付台６と回線を接続して通話可能状態に設定する。そしてＩＳＤＮ回線網５から応答確認メッセージ（ＣＯＮＮ  ＡＣＫ）が送られてきたとき通話可能となる。
【００８２】
このように、選択された端末機器が一定時間応答しない場合や、オフフック状態で呼び出しか不能の場合には他の端末機器に呼び出しを行うようにしたことにより、最善ではないが次善の端末機器に対して緊急受付台等からのコールバックを着信させることができる。
【００８３】
【発明の効果】
以上のようにこの発明によれば、複数のアナログポートを有しそれぞれ異なる端末機器が接続されているルータであっても、通話相手からのコールバックを最も適した端末機器に着信させることができる。
また、緊急受付台から着信があった場合でも、この着信を確実に最も適した確実に応答可能な端末機器に振り分けて着信させることができる。
【図面の簡単な説明】
【図１】この発明が適用されるルータのブロック図
【図２】この発明の第１の実施形態を説明するフローチャート
【図３】同第１の実施形態を説明する通信シーケンス図
【図４】この発明の第２の実施形態を説明するフローチャート
【図５】同第２の実施形態を説明する通信シーケンス図
【図６】この発明の第３の実施形態を説明するフローチャート
【図７】同第３の実施形態を説明する通信シーケンス図
【図８】この発明の第４の実施形態を説明するフローチャート
【図９】同第４の実施形態を説明する通信シーケンス図
【図１０】この発明の第１の変形実施形態を説明するフローチャート
【図１１】同第１の変形実施形態を説明する通信シーケンス図
【図１２】この発明の第２の変形実施形態を説明するフローチャート
【図１３】同第２の変形実施形態を説明する通信シーケンス図
【符号の説明】
１…ルータ、２…電話機、３…ファクシミリ、４…モデム、５…ＩＳＤＮ回線網、６…緊急受付台、１０…コントローラ、１０ａ…メモリ、１１…アナログポート制御部、１２，１３，１４…アナログポート、１５…通信制御部
【図１】
2004282601.tif 000003
【図２】
2004282601.tif 000004
【図３】
2004282601.tif 000005
【図４】
2004282601.tif 000006
【図５】
2004282601.tif 000007
【図６】
2004282601.tif 000008
【図７】
2004282601.tif 000009
【図８】
2004282601.tif 000010
【図９】
2004282601.tif 000011
【図１０】
2004282601.tif 000012
【図１１】
2004282601.tif 000013
【図１２】
2004282601.tif 000014
【図１３】
2004282601.tif 000015